(57)【要約】  パルス/n秒信号が、ワイヤレス通信局において、ワイヤレス通信局の内部ハードウェアを同期させるために生成されてよい。
2016525307.tif 000002
【特許請求の範囲】
【請求項１】
ワイヤレス通信のための方法であって、
ワイヤレス基地局において、受信信号からタイミングを取得するステップと、
1つまたは複数のカウント信号を生成するために前記取得されたタイミングを使用するステップと、
前記1つまたは複数のカウント信号のうちの少なくとも1つの信号を選択するステップと、
パルス/n秒信号を生成するために前記少なくとも1つの信号の少なくとも1つのパラメータを調整するステップであって、nが1以上の整数であるステップとを含む、方法。
【請求項２】
前記取得するステップが、前記受信信号中に含まれる絶対時間基準からタイミングを導出するステップを含む、請求項1に記載の方法。
【請求項３】
前記取得するステップが、前記受信信号の特徴からタイミングを導出するステップを含む、請求項1に記載の方法。
【請求項４】
前記受信信号の前記特徴が、反復される特徴または複数の特徴を含む、請求項3に記載の方法。
【請求項５】
前記受信信号が、ワイヤレスチャネルを介して受信される、請求項1に記載の方法。
【請求項６】
前記パルス/n秒信号に基づいて時間エラーレポート、周波数エラーレポート、または両方を生成するステップと、
少なくとも1つの発振器を制御するために、前記時間エラーレポート、周波数エラーレポート、または両方を使用するステップとをさらに含む、請求項1に記載の方法。
【請求項７】
少なくとも1つのパラメータを前記調整するステップが、プログラマブルシステムを使用して前記調整するステップを実施するステップを含む、請求項1に記載の方法。
【請求項８】
前記調整するステップが、前記少なくとも1つの信号の遅延、前記少なくとも1つの信号のパルス持続時間、および前記パルス/n秒信号のnの値から成る群から選択される1つまたは複数のパラメータを調整するステップを含む、請求項1に記載の方法。
【請求項９】
前記1つまたは複数のカウント信号を同期させることに使用するために、前記1つまたは複数のカウント信号または外部タイミング信号を同期させるために前記パルス/n秒信号のうちの1つを選択するステップをさらに含む、請求項1に記載の方法。
【請求項１０】
ワイヤレス通信のための装置であって、
受信信号からタイミングを取得するための手段と、
1つまたは複数のカウント信号を生成するために前記取得されたタイミングを使用するための手段と、
前記1つまたは複数のカウント信号のうちの少なくとも1つの信号を選択するための手段と、
パルス/n秒信号を生成するために前記少なくとも1つの信号の少なくとも1つのパラメータを調整するための手段であって、nが1以上の整数である手段とを含む、装置。
【請求項１１】
受信信号に基づいてタイミングを取得するように構成された信号処理ブロックからそれぞれのクロック信号を入力として受信するように結合された、対応する複数のカウンタブロックと、
パルス信号を生成するために、前記複数のカウンタブロックの出力を受信することと、前記複数のカウンタブロックの前記出力のうちの1つまたは複数を選択することとを行うように構成された選択デバイスと、
出力パルス信号を得るために、前記パルス信号の1つまたは複数のパラメータを調整するように構成されたパラメータ調整デバイスとを備える、ワイヤレス通信装置。
【請求項１２】
前記選択デバイスが、前記複数のカウンタブロックの前記それぞれの出力を受信するため、および同じく、前記パラメータ調整デバイスに与えるために複数のカウンタブロックの前記出力のうちの1つまたは複数を選択するためまたは選択しないためのマスキングビットを入力として受信するように結合された複数のANDゲートを備える、請求項11に記載のワイヤレス通信装置。
【請求項１３】
前記パラメータ調整デバイスが、プログラマブル遅延デバイスを備える、請求項11に記載のワイヤレス通信装置。
【請求項１４】
前記パラメータ調整デバイスがプログラマブルであり、前記パラメータ調整デバイスが、パルス幅およびパルス周波数から成る群から選択される1つまたは複数のパルス信号パラメータを調整するように構成される、請求項11に記載のワイヤレス通信装置。
【請求項１５】
前記複数のカウンタブロックに前記出力パルス信号を選択的に供給するように構成されたフィードバックループをさらに備える、請求項11に記載のワイヤレス通信装置。
【請求項１６】
前記装置が、前記出力パルス信号が前記複数のカウンタブロックに供給されないときに前記複数のカウンタブロックに外部タイミング信号を供給するように構成される、請求項15に記載のワイヤレス通信装置。
【請求項１７】
対応するクロック信号を有する複数のアナログデジタル変換器をさらに備え、前記対応するクロック信号が、前記複数のカウンタブロックの入力に結合される、請求項11に記載のワイヤレス通信装置。
【請求項１８】
前記受信信号からタイミングを取得するように構成された信号処理ブロックをさらに備える、請求項11に記載のワイヤレス通信装置。
【請求項１９】
前記受信信号が、ワイヤレス通信チャネルを介して受信される、請求項18に記載のワイヤレス通信装置。
【請求項２０】
前記タイミングが、前記受信信号中の絶対時間基準、前記受信信号中の反復される特徴またはパターン、および前記受信信号内の特徴またはパターンから成る群から選択される、前記受信信号の特性に基づいて取得される、請求項11に記載のワイヤレス通信装置。
【発明の詳細な説明】
【技術分野】
【０００１】
相互参照
本出願は、参照によりその全体がすべての目的で本明細書に組み込まれる、2013年7月8日に出願された「GENERATION OF TIMING PULSES BASED ON ACQUIRED SYNCHRONIZATION」と題する米国非仮特許出願第13/937,179号の優先権を主張する。
【０００２】
本開示は、一般に通信に関し、より詳細には、ワイヤレス通信システムにおける動作をサポートするための技法に関する。
【背景技術】
【０００３】
ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであってよい。そのような多元接続ネットワークの例には、符号分割多元接続(CDMA)ネットワーク、時分割多元接続(TDMA)ネットワーク、周波数分割多元接続(FDMA)ネットワーク、直交FDMA(OFDMA)ネットワーク、およびシングルキャリアFDMA(SC-FDMA)ネットワークがある。
【０００４】
そのようなワイヤレス通信ネットワークは、比較的大きいセル、たとえばマクロセル、および/または小さいセルを含む場合がある。マイクロセル、ピコセル、および/またはフェムトセルなどの小さいセルは、たとえば、カバレージを改善するためにワイヤレス通信ネットワーク内に展開される場合がある。そのような小さいセルの同期は、ネットワーク内の他のセルから、たとえば「ネットワークリスニング」によって取得されてもよく、小さいセルの基地局は、他のセルからブロードキャストされた信号、たとえば取得送信および/またはパイロット送信を検出してもよく、受信信号に基づいて時間および/または周波数の同期を取得してもよい。したがって、問題は、特にタイミングに関して、(小さいセルの)基地局ハードウェアをいかにして同期させるかである。
【発明の概要】
【課題を解決するための手段】
【０００５】
基地局ハードウェアの同期は、たとえば、パルス/n秒(pulse-per-n-seconds)信号(PPnS)を生成することによって実行されてもよく、ここで、nは、1以上の整数である。そのようなPPnSは、たとえば、基地局によって別の基地局から取得された同期に基づいて生成されてもよく、ここで、そのような同期は、受信信号の様々な情報および/または態様に基づいて取得されてもよい。
【０００６】
後段において、本開示の様々な態様および特徴がさらに詳細に説明される。
【図面の簡単な説明】
【０００７】
【図１】本開示の様々な態様において使用されてもよい装置の概念的ブロック図である。
【図２】本開示の様々な態様に従って図1の装置がいかにして組み込まれるかを示す、ネットワークの概念的ブロック図である。
【図３】本開示の様々な態様による動作の概念的フローチャートである。
【発明を実施するための形態】
【０００８】
本明細書で説明される技法は、CDMA、TDMA、FDMA、OFDMA、SC-FDMAおよび他のネットワークのような、様々なワイヤレス通信ネットワークに使用される場合がある。「ネットワーク」および「システム」という用語は、しばしば互換的に使用される。CDMAネットワークは、Universal Terrestrial Radio Access(UTRA)、cdma2000などの無線技術を実現する場合がある。UTRAは、Wideband CDMA(WCDMA(登録商標))およびCDMAの他の変形形態を含む。cdma2000は、IS-2000、IS-95およびIS-856の規格をカバーする。TDMAネットワークは、モバイル通信用グローバルシステム(GSM(登録商標))などの無線技術を実装する場合がある。OFDMAネットワークは、発展型UTRA(E-UTRA:Evolved UTRA)、ウルトラモバイルブロードバンド(UMB:Ultra Mobile Broadband)、IEEE802.11(Wi-Fi)、IEEE802.16(WiMAX)、IEEE802.20、Flash-OFDMA(登録商標)などの無線技術を実装する場合がある。UTRAおよびE-UTRAは、ユニバーサルモバイルテレコミュニケーションシステム(UMTS)の一部である。3GPP Long Term Evolution(LTE)およびLTE-Advanced(LTE-A)は、ダウンリンク上ではOFDMAを採用し、アップリンク上ではSC-FDMAを採用するE-UTRAを使用するUMTSの新リリースである。UTRA、E-UTRA、UMTS、LTE、LTE-AおよびGSMは、「3rd Generation Partnership Project」(3GPP)と称する組織からの文書に記載されている。cdma2000およびUMBは、「3rd Generation Partnership Project 2」(3GPP2)という名称の組織からの文書に記載されている。本明細書で説明する技法は、上記のワイヤレスネットワークおよび無線技術、ならびに他のワイヤレスネットワークおよび無線技術で使用される場合がある。
【０００９】
以下の記述では、限定ではなく説明の目的で、本開示の様々な態様の理解を与えるために詳細および記述を記載する。しかし、様々な態様がこれらの詳細および記述から逸脱する他の実施形態でも実施されてよいことは、当業者には明らかであろう。
【００１０】
基地局に関して、様々な態様について本明細書で説明する。基地局は、1つまたは複数のワイヤレス端末との通信に使用されてもよく、アクセスポイント、ノード、ワイヤレスノード、ノードB、進化型ノードB(eノードBもしくはeNB)、または他の何らかのネットワークエンティティと呼ばれてもよく、それらの機能性の一部または全部を含んでもよい。基地局は、ワイヤレス端末とのオーバージエアインターフェースを使用して通信する場合がある。この通信は、1つまたは複数のセクタを通って起こる場合がある。基地局は、たとえば、受信したフレームをIPパケットに変換することによって、ワイヤレス端末と、インターネットプロトコル(IP)ネットワークを含んでもよいアクセスネットワークの残りとの間のルータとして作用する場合がある。基地局はまた、通信属性の管理を調整してもよく、ワイヤードネットワークとワイヤレスネットワークとの間のゲートウェイであってもよい。
【００１１】
様々な態様または特徴は、いくつかのデバイス、構成要素、モジュールなどを含んでもよい、システムの観点から示される。様々なシステムは、追加のデバイス、構成要素、モジュールなどを含むことがあり、および/または各図に関連して論じるデバイス、構成要素、モジュールなどのすべてを含まないことがあることを理解し、了解されたい。これらの手法の組合せも使用されてよい。
【００１２】
本開示の様々な態様に従って、図1はPPnSサブシステム10を示し、図2は、PPnSサブシステム10が配設されてもよい環境を示す。上述のように、基地局22は、他の基地局、たとえば基地局21から受信された信号に基づいて同期を取得する場合がある、ネットワークリスニングを実施してもよい。PPnSサブシステム10は、たとえば、基地局22内でタイミングの目的で使用されてもよいPPnSを生成するために、基地局22内で使用される場合がある。
【００１３】
図1に示すように、PPnSサブシステム10は、アナログデジタル変換器(ADC)111，112，…，11Nからクロック信号CLK_1，CLK_2，…，CLK_N(ここでNは整数)を受信してもよい。ADC111，112，…，11Nは、たとえば、図2に示す、RFおよびベースバンド処理ブロック222内に配置されてもよい。クロック信号CLK_1，CLK_2，…，CLK_NおよびADC111，112，…，11Nは、LTE、UMTSなどの異なる通信技術に対応する場合があり、それらの技術に対して基地局22が調整されてもよい(すなわち、基地局22は、たとえば、図2に示し、以下でより詳細に説明するように、異なるタイプの通信技術を使用する場合がある異なる通信ネットワークに対応する信号を受信するために、個別にまたはアレイで使用される場合がある複数のアンテナ221を含んでもよいが、本発明がこのように限定されるものではない)。ADC111，112，…，11Nのそれぞれのクロックは、それぞれのカウンタブロック121，122，…，12Nのクロック入力に供給されてよい。カウンタブロック121，122，…，12Nはまた、マルチプレクサ(MUX)17から第2の入力信号を受信してもよい。この信号は、カウンタブロック121，122，…，12Nを同期させるために使用されてもよく、以下でさらに説明される。
【００１４】
それぞれのカウンタブロック121，122，…，12Nの出力はマスクされてもよく、そのようなマスキングは、特定のユニットがPPnSを生成するために使用されるか否かを判断するために使用されてもよい。これは、たとえば、カウンタブロック121，122，…，12Nのそれぞれの出力およびそれぞれのマスキングビットMask1，Mask2，…，MaskNを入力として有する場合がある、それぞれのANDゲート131，132，…，13Nを使用して実行されてもよい。このマスキングは、たとえば、PPnSが基礎を置く特定の通信ネットワークおよび/または通信技術を選択する柔軟性を与えるために使用されてもよい。したがって、ANDゲート131，132，…，13Nは、カウンタブロック121，12，…，12Nのうちの1つまたは複数によって出力されるカウント信号を選択するための手段を与えてもよい。
【００１５】
次いで、ANDゲート131，132，…，13Nの出力は、ORゲート14に供給されてもよい。ORゲート14の出力は、遅延論理15に供給されてもよい。遅延論理15によって導入される遅延の量は、1つまたは複数の制御信号入力の手段によって設定されてもよく、特定のカウンタブロック121，122，…，12Nのカウンタクロックサイクルに関して与えられてもよい。
【００１６】
次いで、遅延論理15の出力は、パルススキップカウンタ16に供給されてもよい。パルススキップカウンタ16は、1つまたは複数の制御信号によって制御されてもよい。パルススキップカウンタ16は、パルス幅および/またはnの値を決定するため(すなわち、どれほど頻繁にパルスが生成されるか(すなわち、パルス周波数)を制御するため)に使用されてもよく、そのようなPPnSパラメータは、たとえば、基地局22においてベースバンド処理を制御するために使用される場合があるプロセッサに対応するプロセッサクロックサイクルに関して表現されてもよい。次いで、パルススキップカウンタ16の出力は、PPnSとして使用されてもよい。
【００１７】
遅延論理15および/またはパルススキップカウンタ16は、PPnSを生成するために遅延論理15において受信された信号の少なくとも1つのパラメータを調整するための手段であるものとみなされてもよい。
【００１８】
図1に示され、概略的に上述されているように、カウンタブロック121，122，…，12Nは、MUX17から同期信号を受信してもよい。MUX17は、パルススキップカウンタ16からフィードバックされるPPnSを一入力として、および外部タイミング信号を第2の入力として受信してもよい。外部タイミング信号は、たとえば、全地球測位システム(GPS)などのナビゲーションシステムからのタイミングパルスであってもよい。MUX17は、カウンタブロック121，122，…，12Nに供給するためにPPnSまたは外部タイミング信号のいずれかを選択する制御信号によって制御されてもよい。これは、ネットワークリスニングもしくは他のネットワークベースの同期を実施するため、またはGPSタイミングパルスなどの基準信号への独立同期を実施するための柔軟性を与えるために使用されてもよい。
【００１９】
上述のように、PPnSサブシステム10は、図2に示すように基地局22に組み込まれてもよい。基地局22は、1つまたは複数のアンテナ221を含んでもよい。基地局22はまた、無線周波(RF)およびベースバンド処理ブロック222を含んでもよい。RFおよびベースバンド処理ブロックは、送信のためにデータをフォーマットするためおよび受信のためにデータをデフォーマットする(de-format)ための信号と、制御機能(たとえば、通信プロトコルを実施するため)と、情報を送信および受信することに関わる場合がある他の機能とを送信および受信するために、アナログおよび/またはデジタル信号を処理するのに必要な構成要素を含んでもよい。RFおよびベースバンド処理ブロック222は、受信信号からタイミングを取得するための手段を提供してもよい。基地局22は、少なくとも1つのプロセッサ223と少なくとも1つのメモリ224とを含んでもよく、これらの構成要素は、RFおよびベースバンド処理ブロック222に組み込まれてもよく、またはRFおよびベースバンド処理ブロック222の外部にあってもよく、または両方であってもよい。
【００２０】
前記のように、図1に示すADC111，112，…，11Nは、たとえば、RFおよびベースバンド処理ブロック222内に配置されてもよい。したがって、RFおよびベースバンド処理ブロック222は、ADC111，112，…，11Nの少なくともクロック出力信号をPPnSサブシステム10に与えるためにPPnSサブシステム10に結合されてもよく、RFおよびベースバンド処理ブロック222はまた、他の入力をPPnSサブシステム10に与えてもよい。今度は、RFおよびベースバンド処理ブロック222は、PPnSサブシステム10からPPnS出力信号を受信してもよく、RFおよびベースバンド処理ブロック222はまた、PPnSサブシステム10から他の信号を受信してもよいことに留意されたい。
【００２１】
少なくとも1つのプロセッサ223が、PPnSサブシステム10に制御信号を与えてもよい。これらの制御信号は、上記で説明したように、遅延論理15を制御するため、および/またはパルススキップカウンタ16を制御するために使用されてもよい。少なくとも1つのプロセッサ223はまた、カウンタブロック121，122，…，12Nに与えるためのPPnSまたは外部タイミング信号のいずれかを選択するために、MUX17に制御信号を与えてもよい。したがって、カウンタブロック121，122，…，12Nは、取得されたタイミングに基づいてカウント信号を生成するための手段を提供してもよい。加えて、少なくとも1つのプロセッサ223が、マスキングビットMask，Mask2，…，MaskNを提供してもよい。
【００２２】
少なくとも1つのプロセッサ223はまた、RFおよびベースバンド処理ブロック222に結合されてもよく、関連する制御機能を提供してもよい。さらに、少なくとも1つのメモリ224が設けられてもよい。少なくとも1つのメモリは、少なくとも1つのプロセッサ223によって実行される場合、たとえば、上記で説明した制御信号を与えてもよい様々な動作の実施をもたらす場合がある命令を記憶するために使用されてもよい。少なくとも1つのメモリ224はまた、情報、パラメータ、または他のデータを記憶してもよい。少なくとも1つのプロセッサ223はまた、パラメータ(たとえば、パルス幅/持続時間、nの値、および/または遅延を含む場合がある制御パラメータ)および/またはユーザもしくは別のソースからの他の情報を得るために、ユーザインターフェースまたは通信インターフェース(図示せず)に結合されてもよい。
【００２３】
少なくとも1つのプロセッサ223はまた、測定値および/またはプログラムされたパラメータもしくは選好に基づいて、様々なパラメータおよび/またはマスキングビットを決定するためにプログラムされてもよい。測定値は、基地局22の内部システムまたは外部信号をモニタすることを含む場合がある。少なくとも1つのプロセッサ223に対するプログラムは、たとえば、少なくとも1つのメモリ224に記憶されてもよい。
【００２４】
詳細には示さないが、制御機能は、ファームウェアまたはハードウェアの形で、全体的にまたは部分的に実装されてもよい。本開示のこの態様は、ソフトウェア実装に限定されない。
【００２５】
上述のように、基地局22は、たとえば別の基地局21から信号を受信してもよく、その信号に基づいて基地局22が同期を取得してもよい。別の基地局21からの信号は、たとえば、ビーコン信号もしくは基準信号であってよく、またはその信号はデータ信号であってもよい。受信信号は、基地局22によって得られる場合がある絶対時間表示を組み込んでもよい。代替として、基地局22は、受信信号内で発見される、反復される特徴もしくはパターンのタイミングを検出することによって、または受信信号内のパターンのタイミング(たとえば、フレームまたはサブフレームの開始の発生、既知のプリアンブルシーケンスの発生、特定のフラグまたはビットシーケンスの発生、信号内の特定のフィールド間の境界など)を検出することによって、受信信号からタイミングを取得してもよい。
【００２６】
図3は、本開示の様々な態様の中で、および/または上記で説明した構成要素とともに使用される場合がある動作の概念的フローチャートを示す。タイミング情報は、受信信号から得られてもよく(33)、ここで信号は、たとえば別の基地局からのものであってもよい。カウントは、取得されたタイミング情報に基づいて計算されてもよい(32)。カウントのうちの1つまたは複数は、PPnSを生成することにおいて使用するために選択されてもよい(33)。1つまたは複数の選択されたカウント信号は遅延を受ける場合があり(34)、および/または他のパラメータ、たとえば限定はしないがパルス幅が調整される場合がある(35)。その結果が、PPnSとして出力されてもよい。
【００２７】
PPnSは、複数の方法で使用される場合がある。1つの方法は、たとえば、RFおよびベースバンド処理ブロック222の様々な構成要素のタイミングをとるためのクロック信号を生成することである。PPnSはまた、たとえば、少なくとも1つの発振器を制御することに使用されてもよい時間エラーレポートおよび/または周波数エラーレポートを生成するために使用されてもよい。
【００２８】
たとえば、PPnSは、チップまたはチップセットの主発振器を制御するために使用されてもよく、順に、他の発振器の信号を導出するために使用されてもよい。エラーレポートは、たとえば、2つの連続するPPnSパルスの間で発生する発振器(たとえば、主発振器)のクロックサイクルの数をカウントするためにカウンタ(図示せず)を使用することによって生成されてもよい。このようにして得られたクロックサイクルの数は、発振器が調整を必要とするかどうかを判断するために、クロックサイクルの予測される数と比較されてもよい。
【００２９】
情報および信号は、任意の様々な異なる技術および技法を使用して表されてもよいことは当業者には理解されよう。たとえば上記説明全体を通して参照されてよいデータ、命令、指令、情報、信号、ビット、記号およびチップは、電圧、電流、電磁波、磁界または粒子、光学場または粒子、あるいはそれらの任意の組合せによって表されてもよい。
【００３０】
本明細書の開示に関して記載された様々な例示的論理ブロック、モジュール、回路、およびアルゴリズムステップは、電子ハードウェア、コンピュータソフトウェア、またはその両方の組合せとして実装されてもよいことが、当業者にはさらに了解されよう。ハードウェアおよびソフトウェアのこの互換性を明確に説明するために、様々な例示的な構成要素、ブロック、モジュール、回路、およびステップが、それらの機能の観点から一般的に上記で説明されている。そのような機能がハードウェアまたはソフトウェアのどちらとして実施されるのかは、システム全体に課される特定の用途および設計制約に依存する。熟練した技術者は、各特定の適用例について変化する方法で、記載された機能を実装してもよいが、そのような実装の決定は、本開示の範囲からの逸脱をもたらすものとして解釈されるべきではない。
【００３１】
本明細書において開示に関連して説明される様々な例示的な論理ブロック、モジュール、および回路は、汎用プロセッサ、デジタル信号プロセッサ(DSP)、特殊用途向け集積回路(ASIC)、フィールドプログラマブルゲートアレイ(FPGA)またはその他のプログラマブル論理デバイス、ディスクリートゲートまたはトランジスタ論理、ディスクリートハードウェアコンポーネント、または本明細書において説明される機能を実行するように設計されたこれらの任意の組合せにより実装または実行されてもよい。汎用プロセッサを、マイクロプロセッサとする場合があるが、代替案では、プロセッサを、任意の従来のプロセッサ、コントローラ、マイクロコントローラ、またはステートマシンとする場合がある。プロセッサを、コンピューティングデバイスの組合せ、たとえばDSPおよびマイクロプロセッサの組合せ、複数のマイクロプロセッサ、DSPコアに関連する1つもしくは複数のマイクロプロセッサ、または任意の他のそのような構成として実装する場合もある。
【００３２】
本明細書において開示に関連して説明される方法またはアルゴリズムのステップは、ハードウェアにおいて、プロセッサによって実行されるソフトウェアモジュールにおいて、またはこの2つの組合せにおいて直接具現されてもよい。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野において知られている任意のその他の形態の記憶媒体に常駐する場合がある。例示的な記憶媒体は、プロセッサが記憶媒体から情報を読み取り、記憶媒体に情報を書き込むことができるように、プロセッサに結合される。代替案では、記憶媒体は、プロセッサに一体とされてもよい。プロセッサおよび記憶媒体はASIC内に存在する場合がある。ASICはユーザ端末内に存在する場合がある。代替として、プロセッサおよび記憶媒体は、ユーザ端末内に個別構成要素として存在する場合がある。
【００３３】
1つまたは複数の例示的設計では、記載された機能は、ハードウェア、ソフトウェア、ファームウェア、またはその任意の組合せにおいて実装されてもよい。ソフトウェアで実施される場合、諸機能は、1つまたは複数の命令またはコードとして、コンピュータ可読媒体に記憶されてもよく、またはコンピュータ可読媒体を介して送信されてもよい。コンピュータ可読媒体は、ある場所から別の場所へのコンピュータプログラムの転送を容易にする任意の媒体を含む、コンピュータ記憶媒体と通信媒体の両方を含む。記憶媒体は、汎用または特殊用途コンピュータによってアクセスされ得る任意の使用可能な媒体であってもよい。限定的ではなく、一例として、そのようなコンピュータ可読媒体は、RAM、ROM、EEPROM、CD-ROMまたはその他の光ディスク記憶装置、磁気ディスク記憶装置またはその他の磁気記憶装置、もしくは望ましいプログラムコード手段を命令またはデータ構造の形態で搬送または記憶するために使用され得る、汎用または特殊用途コンピュータ、もしくは汎用または特殊用途プロセッサによってアクセスされ得る任意の他の媒体を備えることができる。また、いかなる接続もコンピュータ可読媒体と適切に呼ばれる。たとえば、ソフトウェアが、ウェブサイト、サーバ、または他の遠隔ソースから、同軸ケーブル、光ファイバケーブル、ツイストペア、デジタル加入者回線(DSL)、または赤外線、無線、およびマイクロ波などのワイヤレス技術を使用して送信される場合、同軸ケーブル、光ファイバケーブル、ツイストペア、DSL、または赤外線、無線、マイクロ波などのワイヤレス技術は、媒体の定義に含まれる。本明細書において使用される、ディスク(disk)およびディスク(disc)は、コンパクトディスク(CD)、レーザーディスク(登録商標)、光ディスク、デジタル多用途ディスク(DVD)、フロッピー(登録商標)ディスクおよびブルーレイディスクを含み、この場合、ディスク(disk)は、通常、磁気的にデータを再生し、ディスク(disc)は、レーザを用いてデータを光学的に再生する。上記の組合せもコンピュータ可読媒体の範囲の中に含まれるべきである。
【００３４】
本開示の先の説明は、当業者が本開示を製造または使用することを可能にするために提供されるものである。本開示への様々な修正が当業者には容易に明らかになり、本明細書で定義される一般原理は、本開示の趣旨および範囲を逸脱することなく他の変形形態に適用されてもよい。したがって、本開示は、本明細書で説明される例および設計に限定されるものではなく、本明細書で開示される原理および新規の特徴に一致する最大の範囲を与えられるものである。
【符号の説明】
【００３５】
10  パルス/n秒信号(PPnS)サブシステム
111  アナログデジタル変換器(ADC)
112  アナログデジタル変換器(ADC)
11N  アナログデジタル変換器(ADC)
121  カウンタブロック
122  カウンタブロック
12N  カウンタブロック
131  ANDゲート
132  ANDゲート
13N  ANDゲート
14  ORゲート
15  遅延論理
16  パルススキップカウンタ
17  マルチプレクサ(MUX)
21  基地局
22  基地局
221  アンテナ
222  無線周波(RF)およびベースバンド処理ブロック
223  プロセッサ
224  メモリ
【図１】
2016525307.tif 000003
【図２】
2016525307.tif 000004
【図３】
2016525307.tif 000005
【手続補正書】
【提出日】平成27年4月29日(2015.4.29)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレス基地局において、ワイヤレスチャネルを介して受信された受信信号からタイミングを取得するステップと、
1つまたは複数のカウント信号を生成するために前記取得されたタイミングを使用するステップと、
前記1つまたは複数のカウント信号のうちの少なくとも1つの信号を選択するステップと、
パルス/n秒信号を生成するために前記少なくとも1つの信号の少なくとも1つのパラメータを調整するステップであって、nが1以上の整数であるステップとを含む、方法。
【請求項２】
前記取得するステップが、前記受信信号中に含まれる絶対時間基準からタイミングを導出するステップを含む、請求項1に記載の方法。
【請求項３】
前記取得するステップが、前記受信信号の特徴からタイミングを導出するステップを含む、請求項1に記載の方法。
【請求項４】
前記受信信号の前記特徴が、反復される特徴または複数の特徴を含む、請求項3に記載の方法。
【請求項５】
前記受信信号が、別の基地局から受信される、請求項1に記載の方法。
【請求項６】
前記パルス/n秒信号に基づいて時間エラーレポート、周波数エラーレポート、または両方を生成するステップと、
少なくとも1つの発振器を制御するために、前記時間エラーレポート、周波数エラーレポート、または両方を使用するステップとをさらに含む、請求項1に記載の方法。
【請求項７】
少なくとも1つのパラメータを前記調整するステップが、プログラマブルシステムを使用して前記調整するステップを実施するステップを含む、請求項1に記載の方法。
【請求項８】
前記調整するステップが、前記少なくとも1つの信号の遅延、前記少なくとも1つの信号のパルス持続時間、および前記パルス/n秒信号のnの値から成る群から選択される1つまたは複数のパラメータを調整するステップを含む、請求項1に記載の方法。
【請求項９】
前記1つまたは複数のカウント信号を同期させることに使用するために、前記1つまたは複数のカウント信号または外部タイミング信号を同期させるために前記パルス/n秒信号のうちの1つを選択するステップをさらに含む、請求項1に記載の方法。
【請求項１０】
ワイヤレス通信のための装置であって、
ワイヤレスチャネルを介して受信された受信信号からタイミングを取得するための手段と、
1つまたは複数のカウント信号を生成するために前記取得されたタイミングを使用するための手段と、
前記1つまたは複数のカウント信号のうちの少なくとも1つの信号を選択するための手段と、
パルス/n秒信号を生成するために前記少なくとも1つの信号の少なくとも1つのパラメータを調整するための手段であって、nが1以上の整数である手段とを含む、装置。
【請求項１１】
ワイヤレスチャネルを介して受信された受信信号に基づいてタイミングを取得するように構成された信号処理ブロックからそれぞれのクロック信号を入力として受信するように結合された、対応する複数のカウンタブロックと、
パルス信号を生成するために、前記複数のカウンタブロックの出力を受信することと、前記複数のカウンタブロックの前記出力のうちの1つまたは複数を選択することとを行うように構成された選択デバイスと、
出力パルス信号を得るために、前記パルス信号の1つまたは複数のパラメータを調整するように構成されたパラメータ調整デバイスとを備える、ワイヤレス通信装置。
【請求項１２】
前記選択デバイスが、前記複数のカウンタブロックの前記それぞれの出力を受信するため、および同じく、前記パラメータ調整デバイスに与えるために複数のカウンタブロックの前記出力のうちの1つまたは複数を選択するためまたは選択しないためのマスキングビットを入力として受信するように結合された複数のANDゲートを備える、請求項11に記載のワイヤレス通信装置。
【請求項１３】
前記パラメータ調整デバイスが、プログラマブル遅延デバイスを備える、請求項11に記載のワイヤレス通信装置。
【請求項１４】
前記パラメータ調整デバイスがプログラマブルであり、前記パラメータ調整デバイスが、パルス幅およびパルス周波数から成る群から選択される1つまたは複数のパルス信号パラメータを調整するように構成される、請求項11に記載のワイヤレス通信装置。
【請求項１５】
前記複数のカウンタブロックに前記出力パルス信号を選択的に供給するように構成されたフィードバックループをさらに備える、請求項11に記載のワイヤレス通信装置。
【請求項１６】
前記装置が、前記出力パルス信号が前記複数のカウンタブロックに供給されないときに前記複数のカウンタブロックに外部タイミング信号を供給するように構成される、請求項15に記載のワイヤレス通信装置。
【請求項１７】
対応するクロック信号を有する複数のアナログデジタル変換器をさらに備え、前記対応するクロック信号が、前記複数のカウンタブロックの入力に結合される、請求項11に記載のワイヤレス通信装置。
【請求項１８】
前記受信信号からタイミングを取得するように構成された信号処理ブロックをさらに備える、請求項11に記載のワイヤレス通信装置。
【請求項１９】
前記受信信号が、別の基地局から受信される、請求項18に記載のワイヤレス通信装置。
【請求項２０】
前記タイミングが、前記受信信号中の絶対時間基準、前記受信信号中の反復される特徴またはパターン、および前記受信信号内の特徴またはパターンから成る群から選択される、前記受信信号の特性に基づいて取得される、請求項11に記載のワイヤレス通信装置。
【国際調査報告】
2016525307.tif 000006
2016525307.tif 000007